(57)【要約】【課題】照明器具本体への誤った装着を防止するための環形蛍光ランプを提供する。【解決手段】環形発光管２と、環形発光管２の両端部に跨って設けられた口金３とを有する環形蛍光ランプ１において、照明器具本体への誤装着を防止するための表示５を有する。この誤装着を防止するための表示５により、環形蛍光ランプ１の照明器具本体への誤った装着を抑止し、口金３の内部に設けられている排気管の破損や、口金３の内部で口金ピン４に接続している２対のリード線のショートといった事故の発生を防止する。【選択図】図１
2011129325.tif 000002
【特許請求の範囲】
【請求項１】
環形発光管と、前記環形発光管の両端部に跨って設けられた口金とを有する環形蛍光ランプにおいて、
照明器具本体への誤装着を防止するための表示を有することを特徴とする環形蛍光ランプ。
【請求項２】
前記表示が前記環形発光管に設けられていることを特徴とする請求項１に記載の環形蛍光ランプ。
【請求項３】
前記表示が前記口金に設けられていることを特徴とする請求項１に記載の環形蛍光ランプ。
【請求項４】
前記表示が前記環形発光管と前記口金の双方に設けられていることを特徴とする請求項１に記載の環形蛍光ランプ。
【請求項５】
前記表示が複数設けられていることを特徴とする請求項１乃至４のいずれか１項に記載の環形蛍光ランプ。
【請求項６】
前記表示が照明器具本体のランプ支持ばねの位置に合わせて設けられていることを特徴とする請求項２又は請求項５に記載の環形蛍光ランプ。
【請求項７】
前記表示が印字によって形成されていることを特徴とする請求項１乃至６のいずれか１項に記載の環形蛍光ランプ。
【請求項８】
前記表示が貼付したシールであることを特徴とする請求項１乃至６のいずれか１項に記載の環形蛍光ランプ。
【請求項９】
前記表示が貼付した静電吸着フィルムであることを特徴とする請求項１乃至６のいずれか１項に記載の環形蛍光ランプ。
【発明の詳細な説明】
【技術分野】
【０００１】
本発明は、環形蛍光ランプに関する。
【背景技術】
【０００２】
照明装置として環形蛍光ランプが広く利用されている。環形蛍光ランプが寿命等により発光しなくなると、利用者は発光しなくなった環形蛍光ランプを新しい環形蛍光ランプに交換する。環形蛍光ランプの口金には、特許文献１、特許文献２及び特許文献３に開示されているように、ワット数等の情報が記載されている。利用者は照明器具本体の仕様に応じた新しい環形蛍光ランプを用意して、新しい環形蛍光ランプを照明器具本体に装着する。
【０００３】
環形蛍光ランプには口金ピンが備えられており、照明器具本体に備えられた給電用のソケットに口金ピンを挿入することで、照明器具本体は環形蛍光ランプに電気を供給する。口金ピンは、通常環形発光ランプの中心軸側に傾いて突設されており、利用者は、口金ピンが照明器具本体の放電点灯装置側を向くように、環形蛍光ランプを照明器具本体に装着する。
【先行技術文献】
【特許文献】
【０００４】
【特許文献１】実開昭６３−００４０４８号公報
【特許文献２】特開平０１−２６４１３４号公報
【特許文献３】特開２００６−２５２８４０号公報
【発明の概要】
【発明が解決しようとする課題】
【０００５】
しかしながら、利用者が、環形蛍光ランプを照明器具本体に誤って装着する場合（口金ピンが照明器具本体の放電点灯装置側を向かないように装着する場合）がある。この場合、照明器具本体とソケットを接続するコードが短いことから、口金がコードにより引っ張られ、口金に過度な負荷が加わる。過度な負荷が加わると、口金内部に設置してある排気管の破損や、フィラメント電極と口金ピンを繋ぐ２対のリード線のショートといった事故が起こる場合がある。
【０００６】
本発明は上記実情に鑑み、照明器具本体への誤った装着を防止するための環形蛍光ランプを提供することを目的とする。
【課題を解決するための手段】
【０００７】
上記目的を達成するため、本発明は、環形発光管と、前記環形発光管の両端部に跨って設けられた口金とを有する環形蛍光ランプにおいて、照明器具本体への誤装着を防止するための表示を有することを特徴とする。
【発明の効果】
【０００８】
本発明に係る環形蛍光ランプには誤装着を防止するための表示が設けられているため、照明器具本体への誤った装着が抑止され、排気管の破損やリード線のショートといった事故の発生を抑制することができる。
【図面の簡単な説明】
【０００９】
【図１】環形蛍光ランプの平面図である。
【図２】環形蛍光ランプの断面図である。
【図３】環形蛍光ランプの拡大図である。
【図４】照明器具本体の断面図である。
【図５】環形蛍光ランプを照明器具本体に装着した状態を示す断面図である。
【図６】環形蛍光ランプを照明器具本体に誤装着したときの断面図である。
【図７】環形発光管と口金に複数表示を設けたときの環形蛍光ランプの拡大図である。
【図８】ランプ支持バネに相応する位置に表示を設けたときの環形蛍光ランプの底面図である。
【発明を実施するための形態】
【００１０】
本発明の実施の形態にかかる環形蛍光ランプについて、以下図を参照して説明する。
環形蛍光ランプ１は、図１に示すように、環形発光管２と、口金３と、口金３に設けられた口金ピン４と、口金３の表面に設けられた表示５から構成される。
【００１１】
環形発光管２は、環状のガラスバルブを有し、このガラスバルブ内に希ガスおよび水銀から構成される放電媒体が封入されるとともに、ガラスバルブの内壁面には蛍光体層が形成されている。そして、環形発光管２の両端にはフィラメント電極が設けられている。
【００１２】
口金３は、環形発光管２の両端部に跨った形で設けられており、４本の口金ピン４と、誤装着を防止するための表示５を備えている。
【００１３】
口金ピン４は、図２に示すように、環形蛍光ランプ１の中心軸側に傾いて突設されている。口金ピン４は、４本で四角形をなすように配置されており、それぞれ環形発光管２に設けられたフィラメント電極とリード線を介して電気的に接続されている。
【００１４】
表示５は、図３に示すように、口金ピン４が突出している側（環形蛍光ランプ１を図４に示す照明器具本体６に装着した際に照明器具本体６の放電点灯装置７に対向する側）の表面に設けられている。表示５の内容は「器具取り付け側」となっており、利用者はこの表示５を見ることにより、環形蛍光ランプ１を照明器具本体６に装着する際の適切な向きを知る。
【００１５】
環形蛍光ランプ１は、図５に示すように、照明器具本体６に取り付けて用いられる。
照明器具本体６は、放電点灯装置７と、ランプ支持ばね８と、給電用のコード９により放電点灯装置７と接続されたソケット１０を備えており、通常、天井に取り付けられる。
環形蛍光ランプ１は、ランプ支持ばね８に固定され、さらに、ソケット１０に口金ピン４が挿入されることにより、照明器具本体６に装着される。
【００１６】
環形蛍光ランプ１が適切な向きに装着された場合、即ち、口金ピン４が照明器具本体６の放電点灯装置７を向くように装着された場合、図５に示すように、コード９には余裕がある。そのため、口金３に過度な負荷が加わることはなく、口金３の内部に設けられている排気管の破損や、口金３の内部で口金ピン４に接続している２対のリード線のショートといった事故は起きない。
【００１７】
一方、環形蛍光ランプ１が不適切な向きに装着された場合、即ち、口金ピン４が照明器具本体６の放電点灯装置７に向かないように装着された場合、図６に示すように、口金ピン４はコード９により引っ張られる。そのため、口金３に過度な負荷が加わり、その結果、口金３の内部に設けられている排気管の破損や、口金３の内部で口金ピン４に接続している２対のリード線のショートといった事故が起きる。
【００１８】
表示５が設けられている場合、まず、利用者は表示５の内容を見て、環形蛍光ランプ１を照明器具本体６に装着する際の環形蛍光ランプ１の適切な向きを認識する。そして、利用者は、口金ピン４を照明器具本体６の放電点灯装置７に向けて環形蛍光ランプ１を照明器具本体６に装着する。その結果、誤装着は起きず、上述のような事故は発生しない。
【００１９】
上述した表示５の内容は「器具取り付け側」となっていたが、この表示５の内容は「器具取り付け側」に限定されない。図７に示すように、照明器具本体６の放電点灯装置７に対向する側に「器具本体側」と表示してもよいし、反対側に「器具反対側」と表示してもよい。通常、照明器具本体は天井に取り付けられ、その下方に環形蛍光ランプが設けられる。そのため、照明器具本体に対向する側に「上側」と表示してもよいし、反対側に「下側」と表示してもよい。
また、表示５は、上記のような文字の他、イラストや記号でもよい。図７の口金３に示したような矢印でもよい。
【００２０】
上述の表示５は口金３の表面に設けられていたが、この表示５の位置は口金３の表面に限定されない。図７に示すように、環形発光管２に表示５を設けてもよいし、環形発光管２と口金３の双方に設けてもよい。
【００２１】
上述の表示５は環形発光管２や口金３の表面に１つだけ設けられていたが、この表示５は複数あってもよい。図７に示すように、口金３に複数表示５を設けてもよいし、環形発光管２に複数表示５を設けてもよい。環形発光管２と口金３の双方に複数表示５を設けてもよい。
【００２２】
また、表示５の表示方法についても限定されない。文字等を環形発光管２や口金３に直接印字してもよいし、文字等をあらかじめ印字したシールや静電吸着フィルムを貼付してもよい。例えば、図７に示したように、環形発光管２や口金３に「上側」や「↑」を印字してもよいし、環形発光管２等に「△」や「器具本体側」と印字したシールや静電吸着フィルムを貼付してもよい。
【００２３】
シールを貼付する場合、シールは剥離容易なものにしてもよい。例えば、シールの一部を非粘着部にしたもの、即ち、片面に接着面を有する粘着部と、両面に非接着面を有する非粘着部から構成されるシールであれば、利用者は非粘着部をつかみ、容易にシールを剥離することができる。なお、非粘着部は、粘着部の端を接着面が合わさる形で折り曲げて形成してもよい。
環形発光管２にシールを貼付すると発光時に光が遮断されるおそれがあるが、シールの剥離を容易にしておけば、装着後、利用者がシールを剥離することで光の遮断を防止できる。
【００２４】
静電吸着フィルムを貼付する場合も光を遮断するおそれがあるが、静電吸着フィルムは剥離が容易であり、装着後、利用者が静電吸着フィルムを剥離することで光の遮断を防止できる。また、静電吸着フィルムはのり剤を使用していないので、剥離してもよごれが残らないという利点がある。
【００２５】
表示５の位置は、環形蛍光ランプ１を照明器具本体６に装着した際のランプ支持バネ８に相応する位置となっていてもよい。例えば、図８に示すように、口金ピン４と表示５の位置関係がランプ支持ばね８とソケット１０の位置関係と合致するように、環形発光管２に表示５を設ける。なお、図８の破線は、照明器具本体６を底面側から見たときのランプ支持ばね８とソケット１０の位置関係を示したものである。
【００２６】
環形蛍光ランプ１はランプ支持バネ８にはめ込む形で取り付けられるので、ランプ支持バネ８に相応する位置に表示５が設けられていれば、利用者は表示５を見落とすことがなくなる。その結果、利用者は確実に表示５を認識して、適正な向きに環形蛍光ランプ１を装着することができる。
【００２７】
さらに、利用者は表示５を目安として環形蛍光ランプ１をランプ支持ばね８に固定するので、ソケット１０と口金３の位置ずれも防止できる。通常、照明器具本体６は天井に設置されている。天井に照明器具本体６が設置された状態での環形蛍光ランプ１の交換は難しく、環形蛍光ランプ１をランプ支持ばね８に固定する際にソケット１０と口金３の位置ずれを起こすことがある。位置ずれを起こした状態での無理なソケット挿入は、口金３へ過度な負荷を与え、ひいては排気管の破損やリード線のショートといった事故を引き起こす。ランプ支持ばね８の位置に合わせて表示５を設けることにより、このような事故の発生を抑制することができる。
【００２８】
なお、表示５の位置は必ずしもランプ支持ばね８の位置と合致している必要はない。ランプ支持ばね８の位置から若干ずらした位置に表示５を設けてもよいし、ランプ支持ばね８とランプ支持ばね８の中間位置に表示５を設けてもよい。表示５がシールや静電吸着フィルムの場合、ランプ支持ばね８の位置からずらして表示５を設けることにより、環形蛍光ランプ１装着後、ランプ支持ばね８に妨害されることなく容易に剥離できる。
【符号の説明】
【００２９】
１    環形蛍光ランプ
２    環形発光管
３    口金
４    口金ピン
５    表示
６    照明器具本体
７    放電点灯装置
８    ランプ支持ばね
９    コード
１０  ソケット
【図１】
2011129325.tif 000003
【図２】
2011129325.tif 000004
【図３】
2011129325.tif 000005
【図４】
2011129325.tif 000006
【図５】
2011129325.tif 000007
【図６】
2011129325.tif 000008
【図７】
2011129325.tif 000009
【図８】
2011129325.tif 000010